(57)【要約】  ミラーと、ミラーの近傍に配置された照明用の発光部と、発光部を駆動する駆動手段と、を備え、更に、ミラー前方の人物の顔のミラーに対する向きを検出する検出手段を含み、駆動手段は、検出手段によって検出された顔の向きに応じて発光部の発光面の発光輝度分布を制御する照明付きミラー装置及びその照明制御方法。
2013179483.tif 000002
【特許請求の範囲】
【請求項１】
ミラーと、
前記ミラーの近傍に配置された照明用の発光部と、
前記発光部を駆動する駆動手段と、を備える照明付きミラー装置であって、
前記ミラー前方の人物の顔の前記ミラーに対する向きを検出する検出手段を含み、
前記駆動手段は、前記検出手段によって検出された前記顔の向きに応じて前記発光部の発光面の発光輝度分布を制御することを特徴とするミラー装置。
【請求項２】
前記駆動手段は、前記検出手段によって検出された前記顔の向きが前記ミラーに対する正対方向からずれているとき、前記ミラーの中心線に対しての前記顔の向きと反対側の前記発光面の領域の輝度を前記顔の向きの前記発光面の領域の輝度より大きくすることを特徴とする請求項１記載のミラー装置。
【請求項３】
前記駆動手段は、前記検出手段によって検出された前記顔の向きが前記ミラーに正対しているとき前記発光部の発光面全てが均等輝度で発光するように前記発光部を駆動し、前記検出手段によって前記顔の傾きが前記ミラー正対方向より左側方向にあると検出されたとき前記発光面の前記中心線に対して右側領域の発光輝度が前記発光面の前記中心線に対して左側領域の発光輝度より大となるように前記発光部を駆動し、前記検出手段によって前記顔の向きが前記ミラー正対方向より右側方向にあると検出されたとき前記左側領域の発光輝度が前記右側領域の発光輝度より大となるように前記発光部を駆動することを特徴とする請求項２記載のミラー装置。
【請求項４】
前記発光部は前記ミラーの外周に配置された枠状の発光面を有し、
前記駆動手段は前記検出手段によって検出された前記顔の向きに応じて前記発光面の前記右側領域に対応した光源と前記左側領域に対応した光源とを個別に駆動することを特徴とする請求項３記載のミラー装置。
【請求項５】
前記発光部は前記ミラーを挟んで前記左側領域と前記右側領域とを有し、
前記駆動手段は前記検出手段によって検出された前記顔の向きに応じて前記発光面の前記右側領域に対応した光源と前記左側領域に対応した光源とを個別に駆動することを特徴とする請求項３記載のミラー装置。
【請求項６】
前記ミラーはハーフミラーであり、
前記発光部は、光源部と、前記ハーフミラーがその鏡面側とは反対側の面において貼り付けられた光拡散板とを有し、前記光拡散板は前記光源部からの放出光を拡散することを特徴とする請求項２又は３記載のミラー装置。
【請求項７】
前記光源部は、前記光拡散板の左側面に配置された左光源と、前記光拡散板の右側面に配置された右光源とを有することを特徴とする請求項６記載のミラー装置。
【請求項８】
前記光源部は、前記光拡散板の前記ハーフミラーの貼り付け面とは反対側の面側に配置された面光源からなることを特徴とする請求項７記載のミラー装置。
【請求項９】
前記ミラーを開閉自在に覆う蓋と、
前記蓋の開状態にオンとなって前記駆動手段に電源電圧を供給し、前記蓋の閉状態にオフとなって前記駆動手段への前記電源電圧の供給を停止する蓋連動スイッチと、を備えることを特徴とする請求項２又は３記載のミラー装置。
【請求項１０】
前記ミラー前方の人物の存在を検出する赤外線センサを含み、
前記駆動手段は、前記赤外線センサによって前記ミラー前方の人物の存在が検出されたとき前記発光部を駆動することを特徴とする請求項２又は３記載のミラー装置。
【請求項１１】
前記検出手段は、前記ミラー前方の前記人物の顔を撮像して画像信号を生成する画像センサと、
前記画像信号から前記人物の顔の輪郭を検出し、前記輪郭内の顔パーツの領域の面積密度に応じて前記人物の顔の前記ミラーに対する向きを判別する判別部と、を含むことを特徴とすることを特徴とする請求項２又は３記載のミラー装置。
【請求項１２】
ミラーと、前記ミラーの近傍に配置された照明用の発光部と、前記発光部を駆動する駆動手段と、を備える照明付きミラー装置の照明制御方法であって、
前記ミラー前方の人物の顔の前記ミラーに対する向きを検出する検出ステップと、
前記検出ステップによって検出された前記顔の向きに応じて前記駆動手段において前記発光部の発光面の発光輝度分布を制御する制御ステップと、を含むことを特徴とする照明制御方法。
【請求項１３】
前記制御ステップは、前記検出ステップによって検出された前記顔の向きが前記ミラーに対する正対方向からずれているとき、前記ミラーの中心線に対しての前記顔の向きと反対側の前記発光面の領域の輝度を前記顔の向きの前記発光面の領域の輝度より大きくすることを特徴とする請求項１２記載の照明制御方法。
【発明の詳細な説明】
【技術分野】
【０００１】
本発明は、照明付きミラー装置及びその照明制御方法に関する。
【背景技術】
【０００２】
暗い場所でも鏡に顔等の対象物を映し出すことが可能な照明付きミラー装置がある。従来の照明付きミラー装置として特許文献１には、鏡の周囲に枠状にＥＬ(Electro Luminescence)素子を配置したＥＬ照明内蔵鏡が示されている。特許文献２には、鏡面に隣接してハーフミラーを設けてその裏側に照明器具を取り付けた姿見鏡が示されている。また、特許文献３には、センターミラーの左右の両側に位置するサイドミラーの各々に、そのミラー本体に銀膜の無い透光部が形成されると共に、ミラー本体の裏面側に透光部を通じてミラー表面へ向かって照射する照明装置が配設された照明付きミラーキャビネットが示されている。更に、特許文献３のミラーキャビネットにおいては、透光部を通じてミラー表面へ向かって照射する発光部と、ミラー表面と発光部の発光面との交差角度を調節する角度調節用アクチュエータが備えられ、サイドミラー手前に位置する使用者を検出して発光部の照射方向が検出した使用者へ向かうように角度調節用アクチュエータを制御することが行われる。
【先行技術文献】
【特許文献】
【０００３】
【特許文献１】特開２００３−２１７８６８号公報
【特許文献２】特開平１１−４６９４５号公報
【特許文献３】特開２０１１−１５８９２号公報
【発明の概要】
【発明が解決しようとする課題】
【０００４】
使用者が自分の顔を鏡に映して見る場合には鏡面に対して正対して顔全体を見るだけでなく、顔を鏡面に対して傾けて顔の一部を特にじっくりと見ることがある。しかしながら、特許文献１ないし３に示された従来の照明付きのミラー装置においては、鏡面前方に単に照明を与えたり、或いは発光部の照射方向が使用者へ向かうように制御が行われるので、使用者が鏡面に対して顔を傾けると照明光が目に入りそれによって眩しく感じ、更に、使用者が見たい顔の一部に的確に照明を与えるものではないという欠点があった。【０００５】
そこで、本発明が解決しようとする課題は、上記の欠点が一例として挙げられ、使用者が鏡面に対して顔を傾けた場合に使用者が見たい顔の部分に照明を適切に与えることができる照明付きミラー装置及びその制御方法を提供することが本発明の目的である。
【課題を解決するための手段】
【０００６】
請求項１に係る発明の照明付きミラー装置は、ミラーと、前記ミラーの近傍に配置された照明用の発光部と、前記発光部を駆動する駆動手段と、を備える照明付きミラー装置であって、前記ミラー前方の人物の顔の前記ミラーに対する向きを検出する検出手段を含み、前記駆動手段は、前記検出手段によって検出された前記顔の向きに応じて前記発光部の発光面の発光輝度分布を制御することを特徴としている。【０００７】
請求項１２に係る発明の照明制御方法は、ミラーと、前記ミラーの近傍に配置された照明用の発光部と、前記発光部を駆動する駆動手段と、を備える照明付きミラー装置の照明制御方法であって、前記ミラー前方の人物の顔の前記ミラーに対する向きを検出する検出ステップと、前記検出ステップによって検出された前記顔の向きに応じて前記駆動手段において前記発光部の発光面の発光輝度分布を制御するステップと、を含むことを特徴としている。
【図面の簡単な説明】
【０００８】
【図１】本発明の実施例１の照明付きミラー装置を示す外観図である。
【図２】図１のミラー装置の発光部に用いられた有機ＥＬパネルの素子構造を示す断面図である。
【図３】図１のミラー装置の表面を示す平面図である。
【図４】図１のミラー装置の発光部の駆動系を示すブロック図である。
【図５】図３の駆動系の制御回路の動作を示すフローチャートである。
【図６】使用者の顔の向きが正面のときの発光部の左側領域及び右側領域の発光状態との関係を示す図である。
【図７】使用者の顔の向きが右向きのときの発光部の左側領域及び右側領域の発光状態との関係を示す図である。
【図８】使用者の顔の向きが左向きのときの発光部の左側領域及び右側領域の発光状態との関係を示す図である。
【図９】発光部が鏡部を挟んで左発光部と右発光部とに分離したミラー装置を示す外観図である。
【図１０】本発明の実施例２の照明付きミラー装置の構成を示すブロック図である。
【図１１】図１０のミラー装置において発光部に有機ＥＬパネルを適用した例を示す外観図である。
【図１２】図１０のミラー装置においてハーフミラーが光拡散板の主面全面を覆う構成の例を示す外観図である。
【発明を実施するための形態】
【０００９】
請求項１に係る発明の照明付きミラー装置及び請求項１２に係る発明の照明制御方法によれば、ミラー前方の人物の顔のミラーに対する向きを検出し、その顔の向きに応じて発光部の発光面の発光輝度分布を制御するので、使用者がミラーに対して顔を傾けた場合に使用者が見たい部分に照明を適切に与えることができ、また、顔を傾けた方向から照明光が使用者の目に入ることを防止することができる。
【実施例】
【００１０】
以下、本発明の実施例を、図面を参照しつつ詳細に説明する。【００１１】
図１は本発明の実施例１の照明付きミラー装置１０の外観を示している。この照明付きミラー装置１０は車両のサンバイザ１１の裏側に取り付けられたバニティミラーである。図１に示すようにサンバイザ１１はフロントガラス１７近傍の車室内の天井１８に回動自在に支持されており、ミラー装置１０は使用者がサンバイザ１１を下げ、更に蓋１２を開いて使用するものである。【００１２】
ミラー装置１０は鏡部１３（ミラー）と発光部１４と画像センサ１５とを有している。四角形の鏡部１３の周囲は枠状の発光部１４によって囲まれている。画像センサ１５は発光部１４の枠上部の中央に配置され、鏡部１３の鏡面前方の人物の顔の画像を画像信号として生成するためのセンサである。画像センサ１５は具体的には、ＣＣＤセンサやＣＭＯＳセンサ等の光電変換素子により構成された撮像素子であり、撮影光学系により形成された被写体像を電気信号たる画像信号に変換する。【００１３】
発光部１４は有機ＥＬパネルからなる。有機ＥＬパネルとしては図２に示すように、透明基板２１上に透明電極の陽極２２、有機発光層２３、金属電極の陰極２４、接着層２５、そして保護シート層２６が順に積層された構造を有する。陽極２２、有機発光層２３及び陰極２４が有機ＥＬ素子であり、透明基板２１上には図示しないが、この有機ＥＬ素子が複数形成されている。【００１４】
発光部１４は複数の有機ＥＬ素子の陽極２２及び陰極２４を駆動端子としている。また、発光部１４は左右の２領域で発光面の発光輝度分布を駆動制御できるように左側領域１４Ｌの有機ＥＬ素子（光源）用及び右側領域１４Ｒの有機ＥＬ素子（光源）用の２系統の駆動端子を備えている。【００１５】
なお、図３に示すように左側領域１４Ｌは発光部１４の発光面を左右に等分するラインＣ（中心線）より左側の部分であり、右側領域１４Ｒは発光部１４の発光面を左右に等分するラインＣより右側の部分である。【００１６】
なお、有機ＥＬパネルの各部２１〜２６の材料、厚さ、及びその製造方法は本発明において特に限定されない。【００１７】
発光部１４の駆動手段は図４に示すように、制御回路３１及び駆動回路３２を含んでいる。また、制御回路３１は画像センサ１５と共に使用者の顔の向きを検出する検出手段を構成している。制御回路３１は例えば、ＣＰＵからなり、画像センサ１５の出力画像信号を受け入れ、鏡部１３の鏡面前方の人物の画像信号に応じてその人物の顔の向きを検出し、その顔の向きの検出結果に応じて制御信号を駆動回路３２に対して生成する。【００１８】
駆動回路３２は制御回路３１から供給される制御信号に応じて発光部１４の２系統の駆動端子間に個別に駆動電流を供給する。【００１９】
蓋１２は鏡部１３の鏡面を開閉自在に覆う。蓋１２は開状態を維持するための機構（図示せず）を有している。【００２０】
蓋連動スイッチ３４は蓋１２の動きに連動するオンオフスイッチであり、蓋１２が閉状態ではオフとなり、開状態ではオンとなる。蓋連動スイッチ３４がオンにあるとき制御回路３１及び駆動回路３２に電源電圧が供給される。また、画像センサ１５も蓋連動スイッチ３４がオンすることにより制御回路３１から電源電圧が供給されることにより作動する。【００２１】
かかる構成のミラー装置１０においては、使用者が蓋１２を開くと、蓋連動スイッチ３４がオンとなり、制御回路３１、駆動回路３２及び画像センサ１５が作動する。【００２２】
制御回路３１は図５に示すように、先ず、駆動回路３２に均等照明駆動を指令する（ステップＳ１）。均等照明駆動指令に応じて駆動回路３２は発光部１４の左側領域１４Ｌ及び右側領域１４Ｒ各々の有機ＥＬ素子に等しい駆動電流を供給する。これにより発光部１４の左側領域１４Ｌ及び右側領域１４Ｒは同一の輝度で発光する。【００２３】
次に、制御回路３１は画像センサ１５の出力画像信号を読み取り（ステップＳ２）、その画像信号に応じて顔輪郭検出処理を行う（ステップＳ３）。顔輪郭検出処理では、画像信号が示す画像内のエッジから人物の顔の輪郭が検出される。輪郭検出後、その顔輪郭内の左右の顔パーツの密度が検出される（ステップＳ４）。顔パーツの密度とは顔輪郭の左右半分各々の範囲内において口、目、眉毛、鼻等の輪郭が明確な顔パーツが占める領域の面積の割合（比率）、すなわち面積密度である。密度判断に用いる顔パーツは少なくとも１つでも良い。密度検出後、顔輪郭の左右半分の密度の高低が判断される（ステップＳ５）。ステップＳ５では左半分の密度と右半分の密度との差が許容範囲内であれば、その人物の顔は鏡部１３の鏡面に対して正対していると判断される。輪郭内の左半分の密度と右半分の密度との差が許容範囲を越えて、左半分の密度が右半分の密度に比べて高い場合にはその人物の顔は鏡部１３の鏡面正対方向より右向きであり、一方、右半分の密度が左半分の密度に比べて高い場合にはその人物の顔は鏡部１３の鏡面正対方向より左向きであると判断される。すなわち、これは人物の顔が鏡面正対方向により左向きとなると、映像からの顔輪郭内の左側（人物からは右側）は頬（人物の右頬）で占められ、顔輪郭内の右側に主に口、目、眉毛、鼻等の顔パーツが位置するために右半分の密度が高くなり、その逆に人物の顔が鏡面正対方向より右向きとなると、顔輪郭内の右側（人物からは左側）は頬（人物の左頬）で占められ、顔輪郭内の左側に主に顔パーツが位置するために輪郭内の左半分の密度が高くなるからである。【００２４】
ステップＳ２〜Ｓ５は、画像信号から人物の顔の輪郭を検出し、輪郭内の顔パーツの領域の面積密度に応じて人物の顔のミラーに対する向きを判別する判別部に相当する。【００２５】
左半分の密度と右半分の密度との差が許容範囲内であれば、制御回路３１は駆動回路３２に均等照明駆動を指令する（ステップＳ６）。これはステップＳ１と同一である。左半分の密度が右半分の密度に比べて高い場合には制御回路３１は駆動回路３２に左照明駆動を指令する（ステップＳ７）。左照明駆動指令に応じて駆動回路３２は発光部１４の左側領域１４Ｌの有機ＥＬ素子への駆動電流を右側領域１４Ｒの有機ＥＬ素子の駆動電流よりも増加させてそれらの駆動電流を左側領域１４Ｌ及び右側領域１４Ｒの有機ＥＬ素子に各々供給する。右半分の密度が左半分の密度に比べて高い場合には制御回路３１は駆動回路３２に右照明駆動を指令する（ステップＳ８）。右照明駆動指令に応じて駆動回路３２は発光部１４の右側領域１４Ｒの有機ＥＬ素子への駆動電流を左側領域１４Ｌの有機ＥＬ素子の駆動電流よりも増加させてそれらの駆動電流を左側領域１４Ｌ及び右側領域１４Ｒの有機ＥＬ素子に各々供給する。【００２６】
制御回路３１はステップＳ６〜Ｓ８のいずれかの実行後、ステップＳ２に戻って上記した動作を繰り返す。なお、その繰り返しタイミングはステップＳ６〜Ｓ８のいずれかの実行後、直ちであっても良いし、予め定められた一定期間（例えば、１秒）毎であっても良い。【００２７】
よって、実施例１のミラー装置１０においては、図６(a)に示すように使用者Ａの顔が鏡部１３の鏡面に正面向き（正対）である場合には、図６(b)に示すように発光部１４の左側領域１４Ｌ及び右側領域１４Ｒの両方が均等の輝度で、すなわち均等な輝度分布で発光する。図７(a)に示すように使用者Ａの顔が鏡部１３の鏡面に対して右向きである場合には、図７(b)に示すように発光部１４の左側領域１４Ｌの発光輝度が右側領域１４Ｒの発光輝度に比べて大きくなり、一方、図８(a)に示すように使用者Ａの顔が鏡部１３の鏡面に対して左向きである場合には、図８(b)に示すように発光部１４の右側領域１４Ｒの発光輝度が左側領域１４Ｌの発光輝度に比べて大きくなる。従って、使用者Ａが鏡面で見たい顔の一部に対する照明の明るさが大きくなるように発光面の発光輝度分布が制御されるので、顔を傾けた使用者Ａにはその一部が見やすくなる。特に、バニティミラーのようにサイズが小さく、発光部の発光領域が小さい場合でも使用者が見たい部分を明るく照明することができる。【００２８】
なお、図６(a)、図７(a)及び図８(a)は使用者Ａをその頭上から見た図であり、突出した部分が鼻を示し、矢印は発光部１４からの光の出射を示している。【００２９】
使用者が蓋１２を閉じると、蓋連動スイッチ３４がオフとなり、制御回路３１、駆動回路３２及び画像センサ１５への電源電圧の供給が停止される。このため、制御回路３１、駆動回路３２及び画像センサ１５各々の作動が停止し、結果として発光部１４の発光が停止される。【００３０】
上記した実施例１においては、発光部１４の発光面を中心線Ｃにより左右に等分して左側領域１４Ｌと右側領域１４Ｒとに領域分けして、検出された顔の向きが鏡面に対する正対方向から右側方向にずれているとき左側領域１４Ｌの輝度が右側領域１４Ｒの輝度より大きくされ、検出された顔の向きが鏡面に対する正対方向から左側方向にずれているとき右側領域１４Ｒの輝度が左側領域１４Ｌの輝度より大きくされている。すなわち、本発明は、発光部の発光面を中心線により等分して第１領域と第２領域とに領域分けし、検出された顔の向きが鏡面に対する正対方向からずれているとき、鏡面の中心線に対しての顔の向きが第１領域のとき顔の向きと反対側の第２領域の輝度を第１領域の輝度より大きくし、一方、鏡面の中心線に対しての顔の向きが第２領域のとき顔の向きと反対側の第１領域の輝度を第２領域の輝度より大きくすれば良い。発光面の中心線の方向は垂直方向や水平方向に限定されず、斜め方向でも良い。【００３１】
また、上記した実施例においては、更に、使用者の顔の向きを角度で（例えば、１０度毎に）検出してその検出角度に応じて発光面の発光輝度分布を段階的に変化させても良いし、或いは顔の向き検出角度に応じて発光面の発光輝度分布を連続的に変化させても良い。例えば、上記した実施例１の発光部１４の場合には、顔の左又は右の向き角度が大きくなるほど発光部１４の左側領域１４Ｌの発光輝度と右側領域１４Ｒの発光輝度との差が大きくなるようにしても良い。【００３２】
更に、上記した実施例１においては、使用者の顔が鏡部１３の鏡面に対して左向き又は右向きになると、発光部１４の左側領域１４Ｌの発光輝度と右側領域１４Ｒの発光輝度との差が生じるが、左側領域１４Ｌの発光輝度と右側領域１４Ｒの発光輝度との合計輝度を常に一定にしても良い。こうすると、使用者が顔を傾けた方の領域の輝度は低下するので、使用者の目には大なる輝度の照明光が到達しないので、使用者が眩しく感じることはなくなる。また、顔を傾けた場合に輝度が大となるべき領域（１４Ｌ又は１４Ｒ）の輝度を、顔が正面を向いたときの均等輝度より更に上昇させても良い。なお、このような輝度調整は駆動電流の大きさを制御することにより実行可能である。【００３３】
また、上記した実施例１においては、発光部１４の発光面の発光輝度分布は左側領域１４Ｌと右側領域１４Ｒとの２分布として制御されているが、本発明はこれに限定されず、発光面を更に多くの領域に分けて発光輝度分布を制御しても良い。【００３４】
上記した実施例１においては、蓋１２の開状態にあるとき発光部１４が発光するように構成されているが、蓋１２に代えて鏡部１３の鏡面前方における使用者の存在を検出したとき制御回路３１、駆動回路３２及び画像センサ１５が作動して発光部１４が発光するようにしても良い。また、蓋１２の開状態にありかつ鏡部１３の鏡面前方における使用者の存在を検出したとき制御回路３１、駆動回路３２及び画像センサ１５が作動して発光部１４が発光するようにしても良い。使用者の存在の検出のためには赤外線センサや、座席シートへの使用者の着席を検出する着席センサを用いることができる。【００３５】
また、上記した実施例１においては、使用者の顔の向きを、画像センサ１５の出力画像信号から得た顔輪郭内の左半分及び右半分の顔パーツの面積密度に基づいて判断しているが、顔輪郭内の画像を予め用意された正対画像、左向き画像、及び右向き画像と比較して類似度が最も高い画像から使用者の顔の向きを判別しても良い。また、顔輪郭内の特定の顔パーツ（例えば、鼻）の位置に応じて顔の向きを判別しても良い。【００３６】
また、上記した実施例１において、発光部１４は鏡部１３を取り囲んだ枠状の一体のものであるが、図９に示すように、左発光部２０Ｌ及び右発光部２０Ｒのように左右に分離しても良い。【００３７】
画像センサ１５は発光部１４の枠上部の中央に配置されているが、鏡部１３及び発光部１４を含む装置本体から分離して配置されても良い。例えば、図９に示すように、サンバイザ１１に取り付けられていても良い。また、車両に眠気検出用として運転者をモニタしているカメラを画像センサとして兼用しても良い。【００３８】
また、上記した実施例１において、発光部１４の発光素子として有機ＥＬ素子が用いられているが、発光素子としてはＬＥＤ（発光ダイオード）を用いても良い。更に、使用者の顔の向きに応じて左側領域１４Ｌ及び右側領域１４Ｒ各々の輝度だけでなく発光色を変化させても良い。【００３９】
図１０は本発明の実施例２としてハーフミラーを用いた照明付きミラー装置の構成を示している。このミラー装置は、画像センサ４１、赤外線センサ４２、蓋連動スイッチ４３、制御回路４４、駆動回路４５、ハーフミラー４６、光拡散板４７、及びＬＥＤチップ４８ａ，４８ｂ，４９ａ，４９ｂを含んでいる。光拡散板４７及び光源部のＬＥＤチップ４８ａ，４８ｂ，４９ａ，４９ｂが発光部を構成する。【００４０】
図１０に示すように、ハーフミラー４６は大きさとして光拡散板４７より若干小さく、光拡散板４７の一方の主面に貼り付けられ、ハーフミラー４６の表面は反射面、すなわち鏡面となっている。２つのＬＥＤチップ４８ａ，４８ｂは光拡散板４７の左側側面に取り付けられ、２つのＬＥＤチップ４９ａ，４９ｂは光拡散板４７の右側側面に取り付けられている。すなわち、ＬＥＤチップ４８ａ，４８ｂが発光するとその光は光拡散板４７にその左側側面から入射して光拡散板４７内で拡散され、一方、ＬＥＤチップ４９ａ，４９ｂが発光するとその光は光拡散板４７にその右側側面から入射して光拡散板４７内で拡散される。光拡散板４７は光を拡散することによりグラデーションを生じさせることができる。【００４１】
画像センサ４１は光拡散板４７のハーフミラー４６の貼り付け主面の上部中央に配置されており、実施例１の画像センサ１５と同様のものである。赤外線センサ４２は使用者の存在を検出するためのセンサである。蓋連動スイッチ４３は実施例１の蓋連動スイッチ３４と同様のものである。【００４２】
制御回路４４は画像センサ４１と共に検出手段を構成する。制御回路４４は図１０に示すようにＡ／Ｄ変換器５１、メモリ５２、輪郭検出回路５３、密度判別回路５４、ＣＰＵ５５、Ｉ／Ｏ（入出力回路）５６、減算器５７、及びＤ／Ａ変換器５８，５９を備えている。Ａ／Ｄ変換器５１、メモリ５２、輪郭検出回路５３、密度判別回路５４、ＣＰＵ５５、及びＩ／Ｏ５６は共通バス６０に互いに接続されている。Ａ／Ｄ変換器５１は画像センサ４１からアナログ信号として出力される画像信号をディジタル信号に変換し、それを共通バス６０に供給する。メモリ５２にはＣＰＵ５５の動作プログラムや処理データが保存される。輪郭検出回路５３はＣＰＵ５５によって制御され、上記のステップＳ３に対応した顔輪郭検出動作を行う。すなわち、ディジタル画像信号が示す画像から人物の顔の輪郭が検出される。密度判別回路５４はＣＰＵ５５によって制御され、上記のステップＳ４及びＳ５に対応した密度判別動作を行う。Ａ／Ｄ変換器５１、輪郭検出回路５３、及び密度判別回路５４が画像信号から人物の顔の輪郭を検出し、輪郭内の顔パーツの領域の面積密度に応じて人物の顔のミラーに対する向きを判別する判別部に相当する。【００４３】
また、密度判別回路５４は顔輪郭内の左半分の密度と右半分の密度との差が許容範囲内であれば、０．５に相当するディジタル出力を減算器５７及びＤ／Ａ変換器５９を供給し、輪郭内の左半分の密度と右半分の密度との差が許容範囲を越えて、左半分の密度が右半分の密度に比べて高い場合（顔が右向きの場合）には１に相当するディジタル出力を減算器５７及びＤ／Ａ変換器５９を供給し、右半分の密度が左半分の密度に比べて高い場合（顔が左向きの場合）には０に相当するディジタル出力を減算器５７及びＤ／Ａ変換器５９を供給する。【００４４】
減算器５７は１から密度判別回路５４の出力値を差し引き、その結果を示すディジタル値をＤ／Ａ変換器５８に供給する。Ｄ／Ａ変換器５８は減算器５７の出力ディジタル値をアナログ信号に変換して駆動回路４５の右入力に供給する。Ｄ／Ａ変換器５９は密度判別回路５４の出力値をアナログ信号に変換して駆動回路４５の左入力に供給する。【００４５】
駆動回路４５（駆動手段）は右入力に接続した右駆動系と左入力に接続した左駆動系とからなる。右駆動系は抵抗とキャパシタとからなる積分回路６１Ｒと、駆動アンプ６２Ｒとを有し、左駆動系は抵抗とキャパシタとからなる積分回路６１Ｌと、駆動アンプ６２Ｌとを有する。すなわち、Ｄ／Ａ変換器５８の出力信号は積分回路６１Ｒを介して駆動アンプ６２Ｒに供給され、駆動アンプ６２Ｒから駆動電流としてＬＥＤチップ４９ａ，４９ｂに供給される。また、Ｄ／Ａ変換器５９の出力信号は積分回路６１Ｌを介して駆動アンプ６２Ｌに供給され、駆動アンプ６２Ｌから駆動電流としてＬＥＤチップ４８ａ，４８ｂに供給される。【００４６】
よって、実施例２のミラー装置においては、使用者の顔がハーフミラー４６の鏡面に正対している場合には、ＬＥＤチップ４８ａ，４８ｂ，４９ａ，４９ｂが同一輝度で発光して光拡散板４７が全面でほぼ発光する。使用者の顔がハーフミラー４６の鏡面正対方向より右向きである場合には、ＬＥＤチップ４８ａ，４８ｂが発光してＬＥＤチップ４９ａ，４９ｂが消灯する。この際、光拡散板４７では左辺側から右に向けて発光輝度が徐々に低下するグラデーションが生じる。一方、使用者の顔がハーフミラー４６の鏡面正対方向より左向きである場合には、ＬＥＤチップ４８ａ，４８ｂが消灯してＬＥＤチップ４９ａ，４９ｂが発光する。この際、光拡散板４７では右辺側から左に向けて発光輝度が徐々に低下するグラデーションが生じる。これにより、実施例２おいても使用者にとって鏡面に写したい部分が明るく照明されるので顔を傾けた使用者には見やすくなる。【００４７】
実施例２のミラー装置においては、発光部の光源としてＬＥＤチップ４８ａ，４８ｂ，４９ａ，４９ｂが用いられるが、それに代えて、図１１に示すように光拡散板４７のハーフミラー４６が設けられた一方の主面とは反対側の主面に有機ＥＬパネル７１を配置させても良い。有機ＥＬパネル７１としては例えば、ＲＧＢの有機ＥＬ素子からなる面発光フルカラータイプのものを用いることができる。この図１１の構成を有するミラー装置においても有機ＥＬパネル７１の発光領域を制御することにより、実施例２と同様に、使用者の顔がハーフミラー４６の鏡面に対して右向きである場合には、光拡散板４７では左辺側から右に向けて発光輝度が徐々に低下するグラデーションを生じさせ、一方、使用者の顔がハーフミラー４６の鏡面に対して左向きである場合には、光拡散板４７では右辺側から左に向けて発光輝度が徐々に低下するグラデーションを生じさせることができる。【００４８】
また、実施例２のミラー装置においては、時定数を有する積分回路６１Ｒ，６１Ｌが設けられ、使用者の顔の向きが一瞬だけ変化した場合にその動きは積分回路６１Ｒ，６１Ｌで吸収される。よって、一瞬の顔の向きの変化による有機ＥＬパネル７１の発光領域における発光輝度分布の変化が防止され、落ち着いた照明を使用者に与えることができる。【００４９】
更に、実施例２のミラー装置においては、ハーフミラー４６の大きさは光拡散板４７より若干小さくされているが、図１２に示すようにハーフミラー４６が光拡散板４７の主面全てを覆うサイズを有しても良い。なお、上記実施例２ではハーフミラーを用いたが、他の鏡面を全体から発光するミラーでも良い。【００５０】
上記した実施例１及び２においては、車室内のサンバイザに取り付けられた照明付きミラー装置を示したが、本発明の照明付きミラー装置は車室内のミラーに限らず、化粧台、姿見、手鏡等の鏡を備えたものに適用することができる。【００５１】
また、上記した実施例１及び２においては、使用者の顔が左右のいずれかに向く場合に対応して発光部の発光面の発光輝度分布を制御しているが、本発明はこれに限定されず、使用者の顔が上方又は下方に向く場合に対応して発光部の発光面の発光輝度分布を制御しても良い。すなわち、検出手段によって検出された顔の向きとは対称関係にある向きに対応した発光面の領域の輝度を上昇させる構成であれば良い。例えば、使用者の顔の向きがミラー正面より上方にあるほど顔の下方側の発光部の発光面の照射輝度が上方側の照射輝度より高くなるように発光部を駆動し、一方、使用者の顔の向きがミラー正面より下方にあるほど顔の上方側の照射輝度が下方側の照射輝度より高くなるように発光部を駆動することが行われる。
【符号の説明】
【００５２】
１１  サンバイザ
１２  蓋
１３  鏡部
１４  発光部
１５  画像センサ
３１，４４  制御回路
３２，４５  駆動回路
３４，４３  蓋連動スイッチ
４６  ハーフミラー
４７  光拡散板
【図１】
2013179483.tif 000003
【図２】
2013179483.tif 000004
【図３】
2013179483.tif 000005
【図４】
2013179483.tif 000006
【図５】
2013179483.tif 000007
【図６】
2013179483.tif 000008
【図７】
2013179483.tif 000009
【図８】
2013179483.tif 000010
【図９】
2013179483.tif 000011
【図１０】
2013179483.tif 000012
【図１１】
2013179483.tif 000013
【図１２】
2013179483.tif 000014
【手続補正書】
【提出日】平成26年12月1日(2014.12.1)
【手続補正１】
【補正対象書類名】特許請求の範囲
【補正対象項目名】全文
【補正方法】変更
【補正の内容】
【特許請求の範囲】
【請求項１】
ミラーと、
前記ミラーの近傍に配置された照明用の発光部と、
前記発光部を駆動する駆動手段と、を備える照明付きミラー装置であって、
前記ミラー前方の人物の顔の前記ミラーに対する向きを検出する検出手段を含み、
前記駆動手段は、前記検出手段によって検出された前記顔の向きに応じて前記発光部の発光面の発光輝度分布を制御することを特徴とするミラー装置。
【請求項２】
前記駆動手段は、前記検出手段によって検出された前記顔の向きが前記ミラーに対する正対方向からずれているとき、前記ミラーの中心線に対しての前記顔の向きと反対側の前記発光面の領域の輝度を前記顔の向きの前記発光面の領域の輝度より大きくすることを特徴とする請求項１記載のミラー装置。
【請求項３】
前記駆動手段は、前記検出手段によって検出された前記顔の向きが前記ミラーに正対しているとき前記発光部の発光面全てが均等輝度で発光するように前記発光部を駆動し、前記検出手段によって前記顔の傾きが前記ミラー正対方向より左側方向にあると検出されたとき前記発光面の前記中心線に対して右側領域の発光輝度が前記発光面の前記中心線に対して左側領域の発光輝度より大となるように前記発光部を駆動し、前記検出手段によって前記顔の向きが前記ミラー正対方向より右側方向にあると検出されたとき前記左側領域の発光輝度が前記右側領域の発光輝度より大となるように前記発光部を駆動することを特徴とする請求項２記載のミラー装置。
【請求項４】
前記発光部は前記ミラーの外周に配置された枠状の発光面を有し、
前記駆動手段は前記検出手段によって検出された前記顔の向きに応じて前記発光面の前記右側領域に対応した光源と前記左側領域に対応した光源とを個別に駆動することを特徴とする請求項３記載のミラー装置。
【請求項５】
前記発光部は前記ミラーを挟んで前記左側領域と前記右側領域とを有し、
前記駆動手段は前記検出手段によって検出された前記顔の向きに応じて前記発光面の前記右側領域に対応した光源と前記左側領域に対応した光源とを個別に駆動することを特徴とする請求項３記載のミラー装置。
【請求項６】
前記ミラーはハーフミラーであり、
前記発光部は、光源部と、前記ハーフミラーがその鏡面側とは反対側の面において貼り付けられた光拡散板とを有し、前記光拡散板は前記光源部からの放出光を拡散することを特徴とする請求項２又は３記載のミラー装置。
【請求項７】
前記光源部は、前記光拡散板の左側面に配置された左光源と、前記光拡散板の右側面に配置された右光源とを有することを特徴とする請求項６記載のミラー装置。
【請求項８】
前記光源部は、前記光拡散板の前記ハーフミラーの貼り付け面とは反対側の面側に配置された面光源からなることを特徴とする請求項７記載のミラー装置。
【請求項９】
前記ミラーを開閉自在に覆う蓋と、
前記蓋の開状態にオンとなって前記駆動手段に電源電圧を供給し、前記蓋の閉状態にオフとなって前記駆動手段への前記電源電圧の供給を停止する蓋連動スイッチと、を備えることを特徴とする請求項２又は３記載のミラー装置。
【請求項１０】
前記ミラー前方の人物の存在を検出する赤外線センサを含み、
前記駆動手段は、前記赤外線センサによって前記ミラー前方の人物の存在が検出されたとき前記発光部を駆動することを特徴とする請求項２又は３記載のミラー装置。
【請求項１１】
前記検出手段は、前記ミラー前方の前記人物の顔を撮像して画像信号を生成する画像センサと、
前記画像信号から前記人物の顔の輪郭を検出し、前記輪郭内の顔パーツの領域の面積密度に応じて前記人物の顔の前記ミラーに対する向きを判別する判別部と、を含むことを特徴とすることを特徴とする請求項２又は３記載のミラー装置。
【請求項１２】
ミラーと、前記ミラーの近傍に配置された照明用の発光部と、前記発光部を駆動する駆動手段と、を備える照明付きミラー装置の照明制御方法であって、
前記ミラー前方の人物の顔の前記ミラーに対する向きを検出する検出ステップと、
前記検出ステップによって検出された前記顔の向きに応じて前記駆動手段において前記発光部の発光面の発光輝度分布を制御する制御ステップと、を含むことを特徴とする照明制御方法。
【請求項１３】
前記制御ステップは、前記検出ステップによって検出された前記顔の向きが前記ミラーに対する正対方向からずれているとき、前記ミラーの中心線に対しての前記顔の向きと反対側の前記発光面の領域の輝度を前記顔の向きの前記発光面の領域の輝度より大きくすることを特徴とする請求項１２記載の照明制御方法。
【請求項１４】
反射面に取り付けられた複数の発光部を含む照明付き反射装置であって、
対象物の第１及び第２の位置間の差を検出するように構成された複数のセンサと、
前記第１及び第２の位置間の差を検出する前記複数のセンサに応答して、前記照明付き反射装置の輝度を調整するように構成された調整回路と、を有する照明付き反射装置。
【請求項１５】
前記調整回路は、前記反射面に対する前記対象物の動きを検出するように構成された検出回路と、前記対象物の当該検出された動きに基づいて前記複数の発光部を駆動するように構成された駆動回路と、を有する請求項１４に記載の照明付き反射装置。
【請求項１６】
前記駆動回路は、人物の顔を含む前記対象物の前記反射面に対する角度の検出に応じて前記複数の発光部の輝度分布を連続的に確定する請求項１５に記載の照明付き反射装置。
【請求項１７】
前記検出回路は、前記人物の顔の一部を含む前記対象物を検出する請求項１５に記載の照明付き反射装置。
【請求項１８】
前記複数のセンサは、イメージセンサ及び赤外センサのうち少なくとも１つを含む請求項１４に記載の照明付き反射装置。
【請求項１９】
（ａ）対象物の動きを検出して前記対象物の検出された動きを示す第１の信号、及び（ｂ）反射面に対して配置された前記対象物を検出して前記反射面に対する前記対象物の検出された位置を示す第２の信号、のうち少なくとも１つを出力するように構成された１つ以上のセンサと、
前記第１の信号及び前記第２の信号のうち少なくとも１つに応答して前記反射面に配置された複数の発光デバイスの輝度分布を制御するように構成された制御回路と、を有する装置。
【請求項２０】
前記１つ以上のセンサは、
対象物の動きを検出して前記対象物の検出された動きを示す第１の信号を出力するように構成された第１のセンサと、
反射面に対して配置された前記対象物を検出して前記反射面に対する前記対象物の検出された位置を示す第２の信号を出力するように構成された第２のセンサと、
を有する請求項１９に記載の装置。
【請求項２１】
前記複数の発光デバイスは有機発光ダイオード（ＯＬＥＤ）を含む請求項１９に記載の装置。
【請求項２２】
前記制御回路は、前記対象物の前記検出された位置の方向に減少するように前記複数の発光デバイスの前記輝度分布を制御するように構成されている請求項１９に記載の装置。
【請求項２３】
前記対象物は人物の身体の一部を含む請求項１９に記載の装置。
【請求項２４】
前記反射面はミラーを含む請求項１９に記載の装置。
【国際調査報告】
2013179483.tif 000015
2013179483.tif 000016
2013179483.tif 000017
2013179483.tif 000018